(57)【特許請求の範囲】
【請求項１】
長手方向に平行且つほぼ等間隔に配された複数のスリットと、各スリットを跨るように配置される桟とを有する略矩形状の金属板を備え、
前記金属板が、誘導加熱調理器本体の後部上面の、吸気口と、並設された冷却風用排気口及びロースター用排気口と、の上に設置されるとき、
前記金属板のスリットは、前記冷却風用排気口及び前記ロースター用排気口の両方の上に位置するように配置され、
前記桟は前記冷却風用排気口の上に位置しないように配置され、且つ、
前記桟の少なくとも一部は前記冷却風用排気口と前記ロースター用排気口との間の上に位置するように配置される
ことを特徴とする吸排気カバー。
【請求項２】
前記桟は前記金属板の長手方向の中央軸に対してほぼ対称に配置される
ことを特徴とする請求項１記載の吸排気カバー。
【請求項３】
前記桟は前記金属板の、短手方向の中央軸に対してほぼ対称に配置される
ことを特徴とする請求項１記載の吸排気カバー。
【請求項４】
前記桟は前記金属板の、長手方向の中央軸に対してほぼ対称であり、短手方向の中央軸に対してほぼ対称に配置される
ことを特徴とする請求項１記載の吸排気カバー。
【請求項５】
前記金属板は表裏対称であり、
前記桟は前記金属板の表と裏でほぼ対称に配置される
ことを特徴とする請求項１〜４のいずれか一項に記載の吸排気カバー。
【請求項６】
前記桟は前記金属板のスリットと直交する直線状に設けられる
ことを特徴とする請求項１〜５のいずれか一項に記載の吸排気カバー。
【請求項７】
前記桟は前記金属板のスリット毎にこの金属板の長手方向に所定の間隔でずれた位置に設けられ、全体として前記金属板の短手方向にほぼ軸対称な略山形または略谷形の模様を描く
ことを特徴とする請求項１〜５のいずれか一項に記載の吸排気カバー。
【請求項８】
前記桟は前記金属板のスリット毎にこの金属板の長手方向に所定の間隔でずれた位置に設けられ、全体として前記金属板の短手方向にほぼ軸対称な市松模様を描く
ことを特徴とする請求項１〜５のいずれか一項に記載の吸排気カバー。
【請求項９】
前記金属板が、前記誘導加熱調理器本体の後部上面の、前記吸気口と、並設された前記冷却風用排気口及び前記ロースター用排気口と、の上に設置されるとき、
前記金属板のスリットの、前記冷却風用排気口の上に位置する部分の開口面積は、前記ロースター用排気口の上に位置する部分の開口面積よりも大きい
ことを特徴とする請求項１〜８のいずれか一項に記載の吸排気カバー。
【請求項１０】
長手方向に平行且つほぼ等間隔に配された複数のスリットと、各スリットを跨るように配置される桟とを有する略矩形状の金属板を備え、
前記金属板が、誘導加熱調理器本体の後部上面の、吸気口と、並設された冷却風用排気口及びロースター用排気口と、の上に設置されるとき、
前記金属板のスリットは、前記冷却風用排気口及び前記ロースター用排気口の両方の上に位置するように配置され、
前記桟は前記冷却風用排気口の上に位置しないように配置され、且つ、
前記金属板のスリットの、前記冷却風用排気口の上に位置する部分の開口面積は、前記ロースター用排気口の上に位置する部分の開口面積よりも大きい
ことを特徴とする吸排気カバー。
【請求項１１】
前記金属板はアルミニウム製である
ことを特徴とする請求項１〜１０のいずれか一項に記載の吸排気カバー。
【請求項１２】
請求項１〜１１のいずれか一項に記載の吸排気カバーを備えた
ことを特徴とする誘導加熱調理器。
【発明の詳細な説明】
【技術分野】
【０００１】
本発明は、誘導加熱調理器の吸気口及び排気口を覆う吸排気カバー並びにこの吸排気カバーを備えた誘導加熱調理器に関するものであり、特に吸排気カバーと吸気口及び排気口の位置関係に関する。
【背景技術】
【０００２】
誘導加熱調理器の天板の後方且つ本体の後部上面に本体内部を冷却するための空気を吸入する吸気口と冷却後の空気を排出する排気口が設けられている。この吸気口及び排気口を覆う吸排気カバーとして、多数の通気穴を千鳥状に配した琺瑯製のものが知られている。（例えば特許文献１参照）。
また、近年デザインの向上を目的として琺瑯よりも薄くて平坦で、等間隔に複数のスリットを平行に配した金属製の吸排気カバーが出回るようになってきた。
【先行技術文献】
【特許文献】
【０００３】
【特許文献１】特開２００９−３０１９９０号公報
【発明の概要】
【発明が解決しようとする課題】
【０００４】
しかしながら、上記特許文献１に記載された従来の誘導加熱調理器の吸排気カバーは琺瑯製であるため、壊れ易く、また厚さが比較的厚く、薄く引き延ばす展延加工やパンチングなどのプレス加工が難しいという問題がある。
【０００５】
また、等間隔に複数のスリットを平行に配した金属製の吸排気カバーは、スリットの強度を確保するためにスリットと直交した複数の桟を備えている。また、従来の誘導加熱調理器では吸気口の開口面積よりも排気口の開口面積の方が小さい。従って、上記吸排気カバーが吸気口と冷却風用排気口とロースター用排気口を覆う際にこの吸排気カバーの桟が冷却風用排気口の上に位置すると、この桟により冷却風用排気口から排出される冷却風の圧力損失が発生し、その分、吸気口から吸入される冷却風の風量と冷却風用排気口から排出される冷却風の風量に差が発生する。これにより、本体内の空気圧が徐々に増加していき、やがて所定の圧力以上に到達すると、冷却風用排気口から排出されるべき冷却風が逆流したり、冷却風用排気口以外から排気が漏れ出したりしてしまう。冷却風の排気が風路内を逆流すると、冷却風の流れを妨害して冷却効率の低下を招いてしまう。また、冷却風用排気口から漏れ出した冷却風の排気がロースター用排気口へ排気されるべき油煙をロースター用ダクトの途中で引き込むので、油煙が本体内に漏れ出して本体内の壁面や天面だけでなく制御基板に搭載された部品に付着して汚染される。この汚染が蓄積すると、故障を招くことになる。
【０００６】
本発明は、このような問題点を解決するために為されたものであり、第１の目的は、本体の冷却効率の低下を抑制し、本体内の汚染を防止可能な吸排気カバー並びに誘導加熱調理器を提供することにある。
また、第２の目的は使用者の使い勝手が良く、意匠性の低下を防止可能な吸排気カバー並びに誘導加熱調理器を提供することにある。
【課題を解決するための手段】
【０００７】
本発明に係る吸排気カバーは、長手方向に平行且つほぼ等間隔に配された複数のスリットと、各スリットを跨るように配置される桟とを有する略矩形状の金属板を備え、金属板が、誘導加熱調理器本体の後部上面の、吸気口と、並設された冷却風用排気口及びロースター用排気口と、の上に設置されるとき、金属板のスリットは、冷却風用排気口及びロースター用排気口の両方の上に位置するように配置され、桟は冷却風用排気口の上に位置しないように配置され、且つ、桟の少なくとも一部は冷却風用排気口とロースター用排気口との間の上に位置するように配置されるものである。
【発明の効果】
【０００８】
本発明によれば、金属板が誘導加熱調理器本体の後部上面の吸気口、冷却風用排気口及びロースター用排気口の上に設置されるとき、桟は冷却風用排気口の上に位置しないように配置されるので、排気口から排出される冷却風の圧力損失が発生しないため、誘導加熱調理器本体内の圧力上昇を抑制できる。これにより、冷却風用排気口から排出される冷却風が逆流して冷却風の流れを妨害することがないため、冷却風の冷却効率の低下を抑制できる。また、冷却風用排気口以外から排気が漏れ出すこともないため、ロースター用排気口へ向かう油煙を引き込むことによる本体内の汚染も防止することが可能となる。
【図面の簡単な説明】
【０００９】
【図１】誘導加熱調理器全体を一部分解して示す斜視図である。
【図２】誘導加熱調理器の天板部を取り外した状態での本体部全体を示す斜視図である。
【図３】本体部全体の平面図である。
【図４】吸排気カバーの一例を示す図である。
【図５】吸排気カバーの別の例を示す図である。
【図６】吸排気カバーのさらに別の例を示す図である。
【図７】吸排気カバーのさらに別の例を示す図である。
【発明を実施するための形態】
【００１０】
実施の形態１．
ここでは、一例として加熱口が３個の３口型誘導加熱調理器を挙げて説明する。
図１〜図７は、本発明の実施の形態１に係る誘導加熱調理器を示すものであって、ビルトイン（組込）型の誘導加熱調理器の例を示している。
図１は誘導加熱調理器全体を一部分解して示す斜視図である。
図２は誘導加熱調理器の天板部を取り外した状態での本体部全体を示す斜視図である。
図３は本体部全体の平面図である。
図４は吸排気カバーの一例を示す図である。
図５は吸排気カバーの別の例を示す図である。
図６は吸排気カバーのさらに別の例を示す図である。
図７は吸排気カバーのさらに別の例を示す図である。
【００１１】
図１に示すように誘導加熱調理器１００は本体１０と本体１０の上に載置され、耐熱性セラミックを含むトッププレート２０から構成されている。本体１０の正面（図１〜２においては下側）には、火力の設定や各種調理の開始指令の操作等を行う操作部１が設けられており、図３に示すようにトッププレート２０の周囲の前側（図３において、前側は紙面の下側）にも操作部２が設けられている。また、図１〜２に示すように本体１０の後方の上枠３０には、本体１０の外部から空気を吸気する吸気口３が本体１０の左右の中心軸に対してほぼ対称の位置に１つずつ設けられ、さらに左右方向のほぼ中央にロースター４からの排気を排出するロースター用排気口５が１つ設けられ、このロースター用排気口５と左右の吸気口３の間に左右の中心軸に対してほぼ対称の位置に加熱コイル等を冷却する冷却風用排気口６が設けられている。２つの吸気口３と、１つのロースター用排気口５と、２つの冷却風用排気口６は２つの吸排気カバー４０によって覆われている。本体１０の中間部（上下方向の中間部であり、トッププレート２０の下方に位置する）には、図２に示すように、前方の左右に１台ずつ加熱コイル７Ｌ、７Ｒが設けられており、左右方向のほぼ中央且つ後方にはラジエントヒーター７Ｃが設けられている。
また、トッププレート２０の表面には、左右の加熱コイル７Ｌ、７Ｒとラジエントヒーター７Ｃのそれぞれの位置を示すマーク７ＬＭ、７ＲＭ、７ＣＭが印刷されている。また、トッププレート２０の表面の前方には、表示部２１が設けられている。
【００１２】
また、図３は本体１０の吸気口３とロースター用排気口５と冷却風用排気口６の領域と吸排気カバー４０との位置関係を示している。吸排気カバー４０は、アルミニウム材の金属板を展延加工によって薄くて平坦な略矩形状の金属板に仕上げた後、この略矩形状の金属板の長手方向に平行且つほぼ等間隔に配された複数のスリットと、隣接するスリット間で構成される棒状体同士を接続する桟とを有するようにプレス加工による打ち抜きによって構成される。この吸排気カバー４０は、吸気口３、ロースター用排気口５及び冷却風用排気口６を含む領域に着脱可能に設置される。また、吸排気カバー４０は、図３及び図４に示すように桟４２は金属板の長手方向の中央軸に対してほぼ対称に配置され、スリット４１の長手方向にほぼ等間隔（図中では間隔Ａ）に、スリット４１と直交する直線状に２個配置されている。また、この吸排気カバー４０は長手方向のほぼ中心軸に対して対称であり、短手方向のほぼ中心軸に対しても対称である。また、表裏対称である。
これにより、調理者が吸排気カバー４０を設置する際に、吸排気カバー４０を前後左右いずれの方向に反転させても同形状であり、表裏の判別なく装着可能となるため、誤装着を防ぐことができ、調理者の使い勝手が向上する。
【００１３】
また、２つの吸排気カバー４０を本体１０の後部上面の左右に並んで配置された位置決め部（図示せず）に設置すると、２つの吸気口３と、１つのロースター用排気口５と、２つの冷却風用排気口６は完全に覆われるだけでなく、桟４２が排気口６の上に位置しないように配置される。この状態は、吸排気カバー４０を１８０°回転しても、表と裏を反転しても変わらない。
これにより、冷却風用排気口６から排出される冷却風の圧力損失が発生しないため、本体１０内の圧力上昇を抑制できる。従って、冷却風用排気口から排出される冷却風が逆流して冷却風の流れを妨害するようなことがないため、冷却風の冷却効率の低下を抑制できる。また、冷却風用排気口６以外から排気が漏れ出すこともないため、ロースター用排気口５の油煙を引き込むことによる本体１０内の汚染も防止することが可能となる。
【００１４】
なお、上記の例では、アルミニウムで構成すると説明したが、これに限る必要はなく、引き延ばし加工やプレス加工が可能な材質のものであればどのようなものでも良い。
また、上記の例では、桟４２はスリット４１の長手方向にほぼ等間隔（図中では間隔Ａ）に、２個配置されると説明したが、吸排気カバー４０を前後左右いずれの方向に反転してさらに表裏を反転しても冷却風用排気口６の上に桟４２が位置しないように配置されるならば、どのような構成にしても良い。
また、上記の例では、桟４２は吸排気カバー４０のスリット４１と直交する直線状に設けられると説明したが、これに限る必要はない。
例えば、図５に示すように、桟４２は吸排気カバー４０のスリット４１毎にこの吸排気カバー４０の長手方向に所定の間隔でずれた位置に設けられ、全体として吸排気カバー４０の短手方向にほぼ軸対称な略山形または略谷形の模様を描くように構成しても良い。この場合も上記と同様の効果奏する。
また、図６に示すように、桟４２は吸排気カバー４０のスリット４１毎にこの吸排気カバー４０の長手方向に所定の間隔でずれた位置に設けられ、全体として吸排気カバー４０の短手方向にほぼ軸対称な市松模様を描くように構成しても良い。この場合も上記と同様の効果を奏する。
また、図７に示すように、吸排気カバー４０が本体１０の後部に形成された吸気口３と排気口５及び６の上に設置されるとき、吸排気カバー４０のスリット４１の、排気口６の上に位置する部分の開口面積は、それ以外の部分の開口面積よりも大きくなるように構成しても良い。これにより、冷却風の圧力損失が低減されるので、冷却効率が向上する。
【符号の説明】
【００１５】
１  操作部、２  操作部、３  吸気口、４  ロースター、５  ロースター用排気口、６  冷却風用排気口、７  加熱コイル、７L  左加熱コイル、７R  、右加熱コイル、７Ｃ  ラジエントヒーター、２０  トッププレート、２１  表示部、３０  上枠、４０  吸排気カバー、４１  スリット、４２  桟、１００  誘導加熱調理器。
【図１】
0005674349.tif 000002
【図２】
0005674349.tif 000003
【図３】
0005674349.tif 000004
【図４】
0005674349.tif 000005
【図５】
0005674349.tif 000006
【図６】
0005674349.tif 000007
【図７】
0005674349.tif 000008